【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
カメラを接続可能なカメラクレードルであって、
前記カメラクレードルに接続されたカメラの状態変化を検知する検知手段と、
前記検知手段による検知結果に応じたイベント画像を、ネットワークを介してクライアント端末に送信すると共に、前記カメラクレードルに接続されたカメラによって撮影された画像を、前記クライアント端末からの要求に応じて送信する送信手段とを備えたことを特徴とするカメラクレードル。
【請求項２】
前記カメラクレードルに接続されたカメラからイベント画像を取得する取得手段を有し、
前記送信手段は、前記カメラから取得されたイベント画像を、前記検知手段による検知結果に応じて前記クライアント端末に送信することを特徴とする請求項１に記載のカメラクレードル。
【請求項３】
前記検知手段は、前記カメラクレードルに接続されたカメラの電源がオンになったことを検知し、
前記送信手段は、前記カメラの電源がオンになったことが前記検知手段により検知されたことに応じて、電源がオンのカメラが接続された状態であることを示す第１のイベント画像を前記クライアント端末に送信することを特徴とする請求項１又は２に記載のカメラクレードル。
【請求項４】
前記カメラを充電する充電手段を有し、
前記検知手段は、前記充電手段による前記カメラの充電開始、及び、前記カメラの充電完了を検知し、
前記送信手段は、前記検知手段による検知結果に応じて、前記カメラの充電が開始されたことを示す第２のイベント画像を前記クライアント端末に送信すると共に、前記カメラの充電が完了されたことを示す第３のイベント画像を前記クライアント端末に送信することを特徴とする請求項１〜３のいずれか１項に記載のカメラクレードル。
【請求項５】
前記検知手段は、前記カメラの充電開始から前記カメラの充電完了までの間に、当該カメラの充電が中断されたことを検知し、
前記送信手段は、前記検知手段による前記充電の中断の検知に応じて、前記カメラの充電が中断されたことを示す第４のイベント画像を前記クライアント端末に送信することを特徴とする請求項４に記載のカメラクレードル。
【請求項６】
画像データを記録する記録手段を有し、
前記検知手段は、前記カメラの画像データの前記記録手段への転送開始、及び、前記カメラの画像データの前記記録手段への転送完了を検知し、
前記送信手段は、前記検知手段による検知結果に応じて、前記カメラの画像データの転送開始を示す第５のイベント画像を前記クライアント端末に送信すると共に、前記カメラの画像データの転送完了を示す第６のイベント画像を前記クライアント端末に送信することを特徴とする請求項１〜５のいずれか１項に記載のカメラクレードル。
【請求項７】
前記第５のイベント画像は、前記画像データの転送開始に応じて最初に記録された画像であり、前記第６のイベント画像は、前記転送完了が検知されるまでの間で最後に転送された画像であることを特徴とする請求項６に記載のカメラクレードル。
【請求項８】
前記送信手段は、前記検知手段による検知結果に応じた音声データを、前記クライアント端末に送信することを特徴とする請求項１に記載のカメラクレードル。
【請求項９】
カメラを接続可能なカメラクレードルの制御方法であって、
前記カメラクレードルに接続されたカメラの状態変化を検知する検知ステップと、
前記検知ステップによる検知結果に応じたイベント画像を、ネットワークを介してクライアント端末に送信すると共に、前記カメラクレードルに接続されたカメラによって撮影された画像を、前記クライアント端末からの要求に応じて送信する送信ステップとを有することを特徴とするカメラクレードルの制御方法。
【請求項１０】
カメラを接続可能なカメラクレードルを制御するコンピュータに、
前記カメラクレードルに接続されたカメラの状態変化を検知する検知ステップと、
前記検知ステップによる検知結果に応じたイベント画像を、ネットワークを介してクライアント端末に送信すると共に、前記カメラクレードルに接続されたカメラによって撮影された画像を、前記クライアント端末からの要求に応じて送信する送信ステップとを実行させるためのプログラム。
【手続補正２】
【補正対象書類名】明細書
【補正対象項目名】発明の名称
【補正方法】変更
【補正の内容】
【発明の名称】カメラクレードル、その制御方法およびプログラム
【手続補正３】
【補正対象書類名】明細書
【補正対象項目名】０００１
【補正方法】変更
【補正の内容】
【０００１】
本発明は、デジタルカメラから画像を取り込みネットワークに配送することのできるカメラクレードル、その制御方法およびプログラムに関する。
【手続補正４】
【補正対象書類名】明細書
【補正対象項目名】００１７
【補正方法】変更
【補正の内容】
【００１７】
本発明は、上記問題を解消し、使用性に優れたカメラクレードル、その制御方法およびプログラムを提供することを目的とする。
【手続補正５】
【補正対象書類名】明細書
【補正対象項目名】００１８
【補正方法】変更
【補正の内容】
【００１８】
本発明のカメラクレードルは、カメラを接続可能なカメラクレードルであって、前記カメラクレードルに接続されたカメラの状態変化を検知する検知手段と、前記検知手段による検知結果に応じたイベント画像を、ネットワークを介してクライアント端末に送信すると共に、前記カメラクレードルに接続されたカメラによって撮影された画像を、前記クライアント端末からの要求に応じて送信する送信手段とを備えたことを特徴とする。
【手続補正６】
【補正対象書類名】明細書
【補正対象項目名】００４６
【補正方法】変更
【補正の内容】
【００４６】
さらに、クレードルは、カメラが接続されていない状態であることを映像受信端末に知らせるとともに、カメラが接続されていない状態を示すアイコン画像（イベント画像）を送信する。映像受信端末は、受信したアイコン画像をテレビ画面に表示する。
【手続補正７】
【補正対象書類名】明細書
【補正対象項目名】００５６
【補正方法】変更
【補正の内容】
【００５６】
クライアント端末に、カメラ接続状態を示すアイコン画像（第１のイベント画像）およびカメラのモデル名とともに、カメラの接続を通知する（ステップＳ１０７）。
【手続補正８】
【補正対象書類名】明細書
【補正対象項目名】００７０
【補正方法】変更
【補正の内容】
【００７０】
最初の画像取得の場合は、先頭画像としてメモリ１０２に画像データとサムネイルデータを格納する。メモリに格納した先頭画像データ（転送開始を示す第５のイベント画像）と共に、データ転送開始イベントをネットワーク上のクライアント端末に通知する（ステップＳ２０５）。
【手続補正９】
【補正対象書類名】明細書
【補正対象項目名】００７３
【補正方法】変更
【補正の内容】
【００７３】
メモリに格納した最終画像（転送完了を示す第６のイベント画像）と共にデータ転送の完了イベントをネットワーク上のクライアント端末に通知する（ステップＳ２０７）。
【手続補正１０】
【補正対象書類名】明細書
【補正対象項目名】００８１
【補正方法】変更
【補正の内容】
【００８１】
内蔵ハードディスク１１６に格納されていた充電開始画像（第２のイベント画像）と充電開始サウンドを付加データとして、クライアント端末に充電開始イベントを通知する（ステップＳ３０７）。充電制御回路１０９はバッテリの電圧をチェックしており、所定の電圧に達すると充電を停止し、充電完了をシスコン１００に知らせる。
【手続補正１１】
【補正対象書類名】明細書
【補正対象項目名】００８３
【補正方法】変更
【補正の内容】
【００８３】
クライアントからのアクセスがあり、フル充電と判断したら充電処理を中断（ステップＳ３１０）する。内蔵ハードディスク１１６に格納されている充電中断画像（第４のイベント画像）と充電中断サウンドを付加データとして、クライアント端末に充電中断イベントを通知して（ステップＳ３１１）、ステップＳ３０１に戻る。
【手続補正１２】
【補正対象書類名】明細書
【補正対象項目名】００８４
【補正方法】変更
【補正の内容】
【００８４】
ステップＳ３０８で充電が完了すると、ハードディスク１１６に格納されている所有者名、充電完了画像（第３のイベント画像）、充電完了サウンドと共に充電完了イベントを、ネットワーク上のクライアント端末に通知する（ステップＳ３１２）。